(57)【要約】      （修正有）【課題】自動車が持っている機械的運動エネルギー（駆動輪回転エネルギー）を利用して、電気を発電させ電気エネルギーを確保し、突然の災害、事故、緊急時に簡単かつ敏速に電気エネルギーを発生させ、人命救助、生命維持、災害時における、生活エネルギーの確保を確保する。【解決手段】パンクタイヤを交換する要領で自動車の駆動輪に取り付け、駐車スペース内にて、駆動輪を回転させることで発電して電気を取り出す。【選択図】図２
2010259306.tif 000002
【特許請求の範囲】
【請求項１】
自動車駆動輪及び駆動部の利用による発電機−例１、例２参照
通常、自動車は、人の交通手段や物の運搬などにおもに利用されていて一般的な乗り物です。
通常の運転時における運動エネルギーは、数馬力〜数百馬力とかなりの機械的エネルギーを持っており、この機械的エネルギーを発電の分野に流用し、電気エネルギーに変換することによって多方面、多分野に活用し、生活及び地域社会貢献に役立てる。
【請求項２】
［請求項１］より、発電機の形状は、タイヤ形などあらゆる形状に製作出来る。また、１駆動軸に１個〜ｎ個の多数の発電機が取付け可能な為、発電量が容易に増加減が出来、必要に応じて、柔軟な対応が出来る。
【請求項３】
［請求項１］より対応自動車の種類・・・原動機付自転車、小型特殊自動車、普通自動二輪車、大型自動二輪車、大型特殊自動車、普通自動車、中型自動車、大型自動車、超特殊自動車、ハイブリッド自動車、水素発電自動車、電気自動車、充電式蓄電池自動車、蒸気自動車、ガス全般自動車、木炭自動車、Ｆ１自動車、充電式（発電式）自転車、農業耕うん機、トラクター、など自動車全般を対象とする。
（車種は、新車、新古車、中古車、廃車、エンジン単体を含む。）
【請求項４】
［請求項１］より対応物の種類・・・船全般、航空機全般、自衛隊車両全般など機械的エネルギーを有する物、全般を対象とする。（新品、新古品、中古品、廃品、駆動設備を含む。）
【請求項５】
発電の容量は、目的、環境、各条件及び必要条件により、増加減が可能で大きさ、重量、形状、色は、範囲、規模に制限なく製作が可能。
発電の電圧は、ＡＣ及び３相ＡＣ及びＤＣで０Ｖ〜６６０Ｖまで自在に電圧設定が出来る。
（目的、環境、各条件、範囲、規模により、昇圧、減圧などが制御が可能とする。）
【請求項６】
固定型ローラー発電機（例４）及び固定型回転テーブル（例３）などがあり、自動車の駆動輪の回転力＝機械的エネルギーを利用して、発電する。災害時、停電時には、緊急用電源や照明、エアコンの電源などに役立つ。
【発明の詳細な説明】
【技術の分野】
【０００１】タイヤ形発電機は、自動車の駆動輪に取付けて、駆動輪を回転させる事で発電し電気を取得する装置で、自動車の駐車スペース内で自家発電を行う。
取付け方法は、車のパンクタイヤを交換する要領で取付けができ、安全用車止めを設置したら、エンジンをスタートし、シフトレバーをドライブもしくは、リアドライブに入れると駆動輪が回転して発電を始めるものです。ミッション車も同じ。
（車１台に付＝１個取付からｎ個取付が可能。）
【０００２】タイヤ形発電機は、本来の自動車の持っている機械的運動エネルギーを電気エネルギーに変換する為、ハイブリッド自動車や電気自動車などで使用すると環境に優しく、クリーンなエネルギーの確保が出来るようになる。
（自動車は、本来移動目的の道具であり、極一般的な乗り物として大変、便利なものですが、移動目的以外にも利用範囲を多様化する。）
【０００３】タイヤ形発電機は、いつでも、どこでも、自動車さえあれば、自家発電が出来る。
砂漠、湿地帯、山岳部での開発事業や緑化事業や飲料水の井戸堀など。
【発明が解決しようとする課題】
【０００４】タイヤ形発電機は、本来の自動車の持っている機械的運動エネルギーを災害、事故、緊急時に簡単かつ敏速に電気エネルギーに変換して、人命救助、生命維持、災害時の生活エネルギーの確保が容易に出来るようにする。
（自動車は、本来移動目的の道具であり、極一般的な乗り物して大変、便利なものですが、一度、地震など災害が起きると、車での長距離移動、被災地からの脱出が大変、困難となり、車の意味をなさなくなります。）
【０００５】タイヤ形発電機は、いつでも、どこでも、自動車さえあれば、自家発電が出来る為、砂漠、湿地帯、山岳部での開発事業や緑化事業や飲料水の井戸堀などの電気エネルギーの確保が容易に出来る。
【０００６】用途−１・・・災害時、緊急用発電機
（地震、台風、洪水、暴風雨、豪雨、山火事、ガス爆発、地下陥没事故、テロ攻撃、その他）
【０００７】〔０００６〕より使用例として
１）災害時、救援機器用及び電動工具用電源供給
２）災害時、一般家庭用電気機器用電源
３）災害時、水光熱機器電源
４）街灯、照明電源
５）飲料水生成機器電源（ため池、海水、河川水の飲料水化）
６）充電機器用充電電源
７）救援機器用及び電動工具用電源供給
８）一般家庭用電気機器用電源
９）水光熱機器電源
【０００８】用途−２として
屋内、屋外、野外、トンネル内、地下街、地下道、地下鉄道、高架及び高架下、地下都市、地下トンネル、ビル全般、ビル屋上及びビル地下、駐車場、立体駐車場、地下駐車場、山岳部、山の斜面、渓谷での電気供給。
【０００９】〔０００８〕より使用例として
１）照明、動力、機械（ロボット含）の電源供給
２）屋内、屋外用電気機器電源供給
３）各種農業施設及び機器（ロボット含）の電源供給
４）電波、通信施設及び機器の電源供給
【課題を解決とする為の手段】
【００１０】あらかじめ、タイヤ形発電機の保管場所を決め、必要に応じて貸し出しする。
賃し出しに伴う費用は、別途、打合せにより、ルールを作る。
【００１１】保管場所‥‥‥‥‥各県庁（土木局、水道局など）
市役所（土木局、水道局など）
最寄消防署
最寄小学校
最寄中学校
医療機関
ＪＲ各社、鉄道会社の各駅
陸上自衛隊、海上自衛隊、航空自衛隊
公共施設
高速道路各パーキングエリア
上記のような場所として、管理運営する。
【００１２】保管場所の管理担当部署は、防災訓練時に保守点検を実施する。
合わせて、実施のルールを作る。
【発明の効果】
【００１３】天災、人災による災害時に現場にて、タイヤ形発電機により電気エネルギーが取れる為、敏速な救助、救援活動ができ、且つ救助隊人員の確保と共に２４時間体制で人命救助にあたれる為、被害を最小限にくい止める事が出来る。
【００１４】被災者の非難場所が最寄の安全地帯に設置でき、自動車とタイヤ形発電機により、生活エネルギーの確保が容易になり、より多くの人命救助が出来る。
【００１５】タイヤ形発電機は、いつでも、どこでも、自動車さえあれば、自家発電ができ、砂漠、湿地帯、山岳部でも開発事業や緑化事業や飲料水の井戸堀など、地域開発のエネルギー源として役立てる。
【図１】
2010259306.tif 000003
【図２】
2010259306.tif 000004
【図３】
2010259306.tif 000005
【図４】
2010259306.tif 000006
【手続補正書】
【提出日】平成21年9月16日(2009.9.16)
【手続補正２】
【補正対象書類名】明細書
【補正対象項目名】全文
【補正方法】変更
【補正の内容】
【発明の詳細な説明】
【技術の分野】
【０００１】タイヤ形発電機は、自動車の駆動輪に取付けて、駆動輪を回転させる事で発電し電気を取得する装置で、自動車の駐車スペース内で自家発電を行う。
取付け方法は、車のパンクタイヤを交換する要領で取付けができ、安全用車止めを設置したら、エンジンをスタートし、シフトレバーをドライブもしくは、リアドライブに入れると駆動輪が回転して発電を始めるものです。ミッション車も同じ。
（車１台に付＝１個取付からｎ個取付が可能。）
【０００２】タイヤ形発電機は、本来の自動車の持っている機械的運動エネルギーを電気エネルギーに変換する為、ハイブリッド自動車や電気自動車などで使用すると環境に優しく、クリーンなエネルギーの確保が出来るようになる。
（自動車は、本来移動目的の道具であり、極一般的な乗り物として大変、便利なものですが、移動目的以外にも利用範囲を多様化する。）
【０００３】タイヤ形発電機は、いつでも、どこでも、自動車さえあれば、自家発電が出来る。
砂漠、湿地帯、山岳部での開発事業や緑化事業や飲料水の井戸堀など。
【発明が解決しようとする課題】
【０００４】タイヤ形発電機は、本来の自動車の持っている機械的運動エネルギーを災害、事故、緊急時に簡単かつ敏速に電気エネルギーに変換して、人命救助、生命維持、災害時の生活エネルギーの確保が容易に出来るようにする。
（自動車は、本来移動目的の道具であり、極一般的な乗り物して大変、便利なものですが、一度、地震など災害が起きると、車での長距離移動、被災地からの脱出が大変、困難となり、車の意味をなさなくなります。）
【０００５】タイヤ形発電機は、いつでも、どこでも、自動車さえあれば、自家発電が出来る為、砂漠、湿地帯、山岳部での開発事業や緑化事業や飲料水の井戸堀などの電気エネルギーの確保が容易に出来る。
【０００６】用途−１・・・災害時、緊急用発電機
（地震、台風、洪水、暴風雨、豪雨、山火事、ガス爆発、地下陥没事故、テロ攻撃、その他）
【０００７】［０００６］より使用例として
１）災害時、救援機器用及び電動工具用電源供給
２）災害時、一般家庭用電気機器用電源
３）災害時、水光熱機器電源
４）街灯、照明電源
５）飲料水生成機器電源（ため池、海水、河川水の飲料水化）
６）充電機器用充電電源
７）救援機器用及び電動工具用電源供給
８）一般家庭用電気機器用電源
９）水光熱機器電源
【０００８】用途−２として
屋内、屋外、野外、トンネル内、地下街、地下道、地下鉄道、高架及び高架下、地下都市、地下トンネル、ビル全般、ビル屋上及びビル地下、駐車場、立体駐車場、地下駐車場、山岳部、山の斜面、渓谷での電気供給。
【０００９】［０００８］より使用例として
１）照明、動力、機械（ロボット含）の電源供給
２）屋内、屋外用電気機器電源供給
３）各種農業施設及び機器（ロボット含）の電源供給
４）電波、通信施設及び機器の電源供給
【課題を解決とする為の手段】
【００１０】あらかじめ、タイヤ形発電機の保管場所を決め、必要に応じて貸し出しする。
貸し出しに伴う費用は、別途、打合せにより、ルールを作る。
【００１１】保管場所・・・・・・・・各県庁（土木局、水道局など）
市役所（土木局、水道局など）
最寄消防署
最寄小学校
最寄中学校
医療機関
ＪＲ各社、鉄道会社の各駅
陸上自衛隊、海上自衛隊、航空自衛隊
公共施設
高速道路各パーキングエリア
上記のような場所として、管理運営する。
【００１２】保管場所の管理担当部署は、防災訓練時に保守点検を実施する。
合わせて、実施のルールを作る。
【発明の効果】
【００１３】天災、人災による災害時に現場にて、タイヤ形発電機により電気エネルギーが取れる為、敏速な救助、救援活動ができ、且つ救助隊人員の確保と共に２４時間体制で人命救助にあたれる為、被害を最小限にくい止める事が出来る。
【００１４】被災者の非難場所が最寄の安全地帯に設置でき、自動車とタイヤ形発電機により、生活エネルギーの確保が容易になり、より多くの人命救助が出来る。
【００１５】タイヤ形発電機は、いつでも、どこでも、自動車さえあれば、自家発電ができ、砂漠、湿地帯、山岳部でも開発事業や緑化事業や飲料水の井戸堀など、地域開発のエネルギー源として役立てる。
【図面の簡単な説明】
【００１６】
【図１】タイヤ形発電機、内部構造を示す図である。
【図２】タイヤ形発電機の使用例を示す図である。
【図３】自動車、駆動輪による固定型回転テーブル発電機による発電例を示す図である。
【図４】自動車、駆動輪による固定型ローラー発電機による発電例を示す図である。